(57)【特許請求の範囲】
【請求項１】
ベッド上面の幅方向の両角部に合わせて当接させた一組のＬ字形の板状部材を、ベッドのほぼ中央で着脱自在に連結し、
前記Ｌ字形の板状部材の角部からそれぞれ伸縮性のあるベルトを延設し、
前記延設された左右のベルトでベッド上の敷布団と掛け布団を同時に覆い、かつ、前記一組のベルト同士を着脱自在に連結することにより、
ベッド上の布団がずり落ちることを防止する器具。
【請求項２】
前記Ｌ字形の板状部材のうち、鉛直方向を構成する板の厚さが２ｍｍ以下であることを特徴とする請求項１に記載したベッド上の布団がずり落ちることを防止する器具。
【発明の詳細な説明】
【技術分野】
【０００１】
本発明は、ベッド上の上掛け布団がずり落ちること、及び敷き布団と上掛け布団が同時に横にずれることを防止する器具に関する。
【背景技術】
【０００２】
ベッド上の上掛け布団は重力によってずり落ち易く、一旦ずり落ち始めると重く感じるし非常に不便である。
これを解決する方法として、例えば特許文献１では、マットの下に通したベルトと、掛け布団の下面に縫合したベルトを左右で連結することにより掛け布団のズレ落ちを防止する方法が開示されている。
特許文献２では伸縮性のないベルトを敷き布団の下に敷き、前記ベルトの両端に繋いだ伸縮性のあるベルトで掛け布団を覆って固定する方法が考案されている。
【特許文献１】実開平６−３１５２号公報
【特許文献２】実登第３０９５０７６号公報
【発明の開示】
【発明が解決しようとする課題】
【０００３】
しかし特許文献１の方法では、掛け布団の下面にベルトを縫合する必要があるので不便であり、特許文献２の方法では、ベルトの上の敷き布団がめくれ上がるので掛け布団を保持する効果が小さく、場合によっては敷き布団と掛け布団が同時にずれるという問題があり、この対策として厚いマットの下にベルトを通すとマットの厚さ分だけ掛布団がずり落ちる可能性があるという問題があった。
【０００４】
本発明は、上記のような従来のずり落ち防止器具の問題点を改良し、どのようなサイズのベッドにも、どのような設置状態（例えばベッドが壁に接している状態）でも簡単に装着でき、ずり落ち防止及び横ずれ防止効果の高い布団のずり落ち防止器具を提供することにある。
【課題を解決するための手段】
【０００５】
ベッド上面の両サイドの角部に合うように設置した一組のＬ字形の板状部材を、ベッドのほぼ中央にてベッド幅に合わせて調節して連結することにより、ベルトそのものの横ずれを防止し、前記Ｌ字形の板状部材の角部からそれぞれ伸縮性のあるベルトを延設し、前記延設された左右のベルト一組でベッド上の敷布団と掛け布団を同時に覆って連結することにより、ベッド上の布団がずり落ちることを防止した。
【０００６】
前記Ｌ字形の板状部材のうち、鉛直方向を構成する板の厚さを２ｍｍ以下にすることにより、壁に当接させて設置してあるベッドにも簡単に装着できるようにした。
【発明の効果】
【０００７】
Ｌ字形の板状部材でベッドの両側を挟むようにして伸縮性のないベルトで連結するのでベルトそのものがベッド（又はマット）に対してずれることが無くなる。
これにより、上掛け布団のずり落ちを防ぐと同時に、敷き布団と掛け布団が同時に横ずれすることも防ぐことができる。
【０００８】
ベッドと敷き布団の間に設置する板状部材は、比較的曲げ剛性の高い材料、例えば厚さ約５ｍｍの木質合板を使用するので、伸縮性のあるベルトが斜め上方向に引かれても前記板状部材のベッド中央に近い部分は体重と掛け布団の重さで下に押えつけられており、かつ曲げ剛性が高いので簡単には浮き上がらずに伸縮性のあるベルトの端部を保持するので、掛け布団のずれを防ぐことができる。
同様に、板状部材の剛性によりＬ字型部品の下方に延設した部分がベッドの側面から抜け出すのを防ぐことができる。
【０００９】
敷き布団の下に１組のＬ字形の板状部材を置いてベッドの幅に合わせて伸縮性のないベルトを例えば面ファスナーで連結するだけなのでベッドへの装着が非常に簡単で且ついろいろな幅のベッドに対応できる。
【００１０】
布団を覆うベルトは伸び縮みのよい装飾用ベルトを使用したので睡眠中寝返りをうつ際などには拘束しすぎることがなく、特に意識することなく睡眠できる。
【００１１】
Ｌ字形の板状部材のうち鉛直方向に延設した部分の厚さを２ｍｍ以下にしたので、壁に接して設置されたベッドにも容易に装着することができる。
これはベッドを設置する際には、意識しなくても壁又は仕切りとの間に２ｍｍぐらいはすき間ができているからである。  
【発明を実施するための最良の形態】
【００１２】
図１は、従来の状態であり、ベッド上で上掛け布団がずり落ちているときの断面図である。
掛け布団が少しずれると、ベッド脇に垂れ下がった部分がさらに掛け布団をずれる方向に引くので図１の状態になりやすい。
この状態では、掛け布団が重く感じられ、寒さも感じる。  
【００１３】
図２は本発明によるずり落ち防止ベルトを装着した状態の断面図である。ベッド２０の両脇の角部にＬ字形の部品７をベッドの角部を両側から挟むように設置し、前記Ｌ字形の部品７の水平部に固定した板状の台座２の上面に設けた面ファスナー６と、他方の板状の台座２から延設した伸縮性のないベルト４の下面に設けた面ファスナー５とを接合させることにより、板状の台座２が、図２における左右方向に動かないようになる。
【００１４】
尚、図２はベッド本体２０が壁２５に接するように配置された状態であるが、Ｌ字形の部品７の鉛直方向を構成する板の厚さを２ｍｍ以下にしたので、この部分を容易にベッドと壁のすき間に差し込むことができる。
【００１５】
板状の台座２の上に、敷き布団２２を敷き、必要に応じて毛布２３を掛け、掛け布団２１を掛ける。この際に、前記Ｌ字型部品７の角部から延設された伸縮性のあるベルト１の端部を両側から引き出して、前記敷布団２２と毛布２３と掛け布団２１を覆うようにして掛け布団の上に置く。
【００１６】
就寝する際には、敷き布団２２の上で毛布２３と掛け布団２１を掛けてから、双方のベルト１の端部近傍に設けた面ファスナー３同士を、好みの張力になるように調節してから接合する。ここでベルト１の長さはそれぞれ８０ｃｍ程度が適している。
ベルト１は伸縮性のある幅４０ｍｍ、厚さ２ｍｍ程度のゴム入りベルトが好ましく、適度な伸縮性があるので、寝ていても窮屈を感じることはない。
【００１７】
図３は本発明によるずり落ち防止ベルトを装着して睡眠中の側面図である。
ベルトの装着位置は、本図のように掛け布団のほぼ中央が一般的であるが、好みによっては、脚寄りにも胸寄りにも装着できる。
尚、ベッドから出る際には、伸縮性のあるベルト１の面ファスナー３を外した方が安全であるが、例えば脚部に近い場所に装着した場合には、ベルト１を連結したままでもベッドから出ることができる。
又、場合によっては本発明によるベルトを二組使用しても良い。
【００１８】
図４はずり落ち防止ベルトの斜視図である。
ベルト１と４、板状の台座２とも幅は４０ｍｍとした。Ｌ字形の部品７は厚さ１．２ｍｍのステンレス鋼板を使用し、板状の台座２は厚さ約５ｍｍの木質合板を使用した。
板状の台座２の厚さが約５ｍｍ以下であれば、敷布団の上からはほとんど凸凹を感じることがなく、木質合板を採用したことで適度の弾力性と曲げ剛性を得ることができた。
【００１９】
Ｌ字形の部品７と板状の台座２の間に伸縮性のあるベルト１を挟んで、これら３つを貫通してリベッドで固定した。
尚、構造は上記に限る必要はなく、上記と同等の強度と剛性が得られれば、例えばプラスチックの一体成型品でも良い。
尚、請求項には板状の台座２にＬ字形の部品７を固定したものを「Ｌ字形の板状部材」と記載した。
【００２０】
板状の台座２の長さは、一般的なシングルベッドの幅９０ｃｍ〜１０４ｃｍに対応できるように、片側で４４ｃｍとし、連結するためのベルト４の面ファスナーで２０ｃｍ程度の幅を調節できるようにした。面ファスナーの幅は２５ｍｍ、長さはそれぞれ１６ｃｍとした。
尚、ベルト４は必須の構成部品ではなく、板状の台座２を長くして直接連結しても良い。板を重ねて連結する場合は、重なる部分の板厚を薄くして、重ねた状態で５ｍｍ程度になるようにするのが望ましい。
【００２１】
図５は、本考案によるずり落ち防止ベルトを、壁に隣接していないベッドに装着した状態を示している。Ｌ字形の部品７で、ベッドの両脇の角部を挟んでいるので、板状の台座２の横ずれを防止することができる。
【図面の簡単な説明】
【００２２】
【図１】上掛け布団がずり落ちている状態の断面図である
【図２】本発明によるずり落ち防止ベルトを装着した状態の断面図である（ベッドが壁に隣接した状態）
【図３】本発明によるずり落ち防止ベルトを装着した状態の側面図である
【図４】本発明によるずり落ち防止ベルトの斜視図である
【図５】本発明によるずり落ち防止ベルトをベッド上に装着した状態の断面図である（ベッドが壁に隣接していない状態）
【符号の説明】
【００２３】
１  伸縮性のあるベルト
２  板状の台座
３  伸縮性のあるベルトを連結するための面ファスナー
４  台座を連結するためのベルト
５  台座を連結するためのベルトに取り付けた面ファスナー
６  台座に取り付けた面ファスナー
７  Ｌ字形の部品
２０  ベッド本体
２１  上掛け布団
２２  敷き布団
２３  毛布
２４  身体
２５  壁
【図１】
0004453772.tif 000002
【図２】
0004453772.tif 000003
【図３】
0004453772.tif 000004
【図４】
0004453772.tif 000005
【図５】
0004453772.tif 000006